(57)【要約】      （修正有）【課題】保温性を高めて効果的に半身浴が行え、構造もシンプルで衛生的に使用することができる、浴槽用保温蓋を提供する。【解決手段】浴者の手及び腕を出すための腕差出部と頭を出すための頭差出部を形成した差出蓋２と、該差出蓋２以外の浴槽の上面を密閉して覆うための密閉蓋３にて構成し、前記差出蓋２と密閉蓋３は、厚さが約４０ｍｍの発泡合成樹脂板の表面に防水用のフィルムカバーを溶着して形成する。前記差出蓋２と密閉蓋３は、防水用のフィルムカバーを溶着した厚さが約２０ｍｍの発泡合成樹脂板２枚を対向して貼着し、該貼着した発泡合成樹脂板の辺縁部に形成された溝にコーキング材を充填して形成する。【選択図】図１
0003177710.tif 000002
【実用新案登録請求の範囲】
【請求項１】
入浴者の手及び腕を出すための腕差出部と頭を出すための頭差出部を形成した差出蓋と、該差出蓋以外の浴槽の上面を密閉して覆うための密閉蓋にて構成し、前記差出蓋と密閉蓋は、厚さが約４０ｍｍの発泡合成樹脂板の表面に防水用のフィルムカバーを溶着して形成することを特徴とする、浴槽用保温蓋。
【請求項２】
上記差出蓋と密閉蓋は、防水用のフィルムカバーを溶着した厚さが約２０ｍｍの発泡合成樹脂板２枚を対向して貼着し、該貼着した発泡合成樹脂板の辺縁部に形成された溝にコーキング材を充填して形成することを特徴とする、請求項１に記載の浴槽用保温蓋。
【考案の詳細な説明】
【技術分野】
【０００１】  本考案は、一般家庭内に設置された浴槽の上面に載置する浴槽用蓋に関し、特に保温性を高めて半身浴に好適となる、浴槽用保温蓋に関するものである。
【背景技術】
【０００２】  従来、一般家庭内における入浴設備として風呂が使用されている。該風呂は、お湯を張った浴槽内に体全体を浸して温まるものである。入浴時以外は、浴槽内のお湯の温度が冷めないように当該浴槽の上面に樹脂又は樹脂と金属の複合素材等で形成された蓋を載置している。【０００３】  上記入浴方法はいわゆる全身浴であるが、近年にあっては浴槽内に張るお湯の量を減らし、胸より下の部分だけ浸る半身浴が流行っている。該半身浴は、お湯の温度を全身浴より低めの約３８℃〜４０℃とし、入浴時間を全身浴より長めの約３０分〜４０分とし、リラックスした気分でゆったりと浸る方法である。該半身浴は全身浴に比べて体にかかる負担が少ないため、高齢者や妊婦及び何らかの理由により医者から全身浴が不適とされた者は勿論のこと、疲労回復や美容及びリラクゼーション等に効果があるとされることから、多くの人が行っている。【０００４】  上記半身浴を行う場合、全身浴に比べて浴槽に張るお湯の温度が低いことと量が少ないこと及び入浴時間が長いことなどによりお湯の温度が下がりやすく、特に冬の寒い時期にあっては上半身が冷えるとともにお湯の追い炊きや張り増しが必要となり、効果的な半身浴が行えないという問題点があった。このような問題点を解決すべく、例えば実用新案登録第３１０９２８９号公報の考案の名称「浴槽蓋兼用半身浴ボード」には、短冊状に形成された厚さ６〜１０ｍｍの断熱材シートを軟質の合成樹脂材で覆って蓋片とし、各蓋片同士を折畳み可能とすべくヒンジにて接続し、該蓋片の一端側の中央部に略半円状の開口部を切欠き形成し、該開口部より入浴者の頭部を出して入浴することにより内部の蒸気を逃さずに湯温を保って蒸気浴ができることを特徴とした蓋について記載され、特開平０７−２９８９９９号公報の発明の名称「浴槽用蓋」には、プラスチック製の折畳み可能な板状の蓋部材の端部に入浴者の頭部より若干大きな切欠け部を形成するとともに、該切欠け部の端部には回動操作にて開閉可能な小蓋又はスライド移動にて開閉可能な小蓋若しくは折畳みにて開閉可能な小蓋を具備し、該切欠け部より入浴者の頭部を出して入浴することにより簡易サウナとなることを特徴とした蓋について記載され、特開２００２−１９９９９６号公報の発明の名称「半身浴用浴槽蓋」には、矩形状で剛性のある軽量合成樹脂板の長辺一端側の中心に円弧状の切欠け部を形成し、該切欠け部の左右斜め内方に略楕円状の貫通孔を設けた腕差出板と、該腕差出板の長辺一端側の中心に形成した切欠け部と対応する内方部位に長半円状の切欠け部を形成した頭部載置板とにて構成し、該切欠け部より入浴者の頭部を出して入浴することにより保温性を高めて効率良く半身浴ができることを特徴とした蓋について記載されている。【０００５】
【特許文献１】実用新案登録第３１０９２８９号
【特許文献２】特開平０７−２９８９９９号
【特許文献３】特開２００２−１９９９９６号
【考案の開示】
【考案が解決しようとする課題】
【０００６】  上記公報において、実用新案登録第３１０９２８９号に記載の浴槽用蓋は、各蓋片同士をヒンジで接続した折畳みタイプのため、断熱材シートの厚さが６〜１０ｍｍと薄く、十分な保温効果が得られないという欠点があった。また、蓋からは入浴者の頭部しか出せなく手が出せないため、汗を拭いたり水分を補給したり、更には本を読んだり携帯電話の操作を行うなどの行動ができないという問題点があった。また、特開平０７−２９８９９９号に記載の浴槽用蓋は、上記公報と同様の欠点や問題点があるばかりでなく、切欠け部に小蓋を具備する構造のために当該箇所にカビが発生しやすく衛生的ではないという問題点もあった。また、特開２００２−１９９９９６号に記載の浴槽用蓋は、腕差出板と頭部載置板と市販の巻取りタイプの蓋を組合わせて使用するものであり、上記各公報と同様に蓋の材質や厚さに難があり十分な保温効果が得られないという欠点があった。【０００７】  本考案は、上記欠点や問題点を解決するために成されたものであり、保温性を高めて効果的に半身浴が行え、構造もシンプルで衛生的に使用することができる、浴槽用保温蓋を提供することを目的とする。
【課題を解決するための手段】
【０００８】  上記課題を解決するため、本考案の浴槽用保温蓋は、入浴者の手及び腕を出すための腕差出部と頭を出すための頭差出部を形成した差出蓋と、該差出蓋以外の浴槽の上面を密閉して覆うための密閉盖にて構成し、前記差出蓋と密閉盖は、厚さが約４０ｍｍの発泡合成樹脂板の表面に防水用のフィルムカバーを溶着して形成する。【０００９】  上記差出蓋と密閉蓋は、防水用のフィルムカバーを溶着した厚さが約２０ｍｍの発泡合成樹脂板２枚を対向して貼着し、該貼着した発泡合成樹脂板の辺縁部に形成された溝にコーキング材を充填して形成する。
【考案の効果】
【００１０】  本考案の浴槽用保温蓋を用いれば、保温材（断熱材）の厚さを約４０ｍｍとしたために保温性が従来品に比べて格段に高くなり、効果的に半身浴が行えるという効果を奏する。また、構造がシンプルなためカビの発生もなくなり、衛生的に長期間使用することができるという効果を奏する。
【考案を実施するための最良の形態】
【００１１】  本考案を実施するための最良の形態を図を用いて説明する。【００１２】  図１は本考案の第一実施例による浴槽用保温蓋の平面図であり、図２は図１におけるＡ−Ａ側面断面図である。該図に示すように、本考案の浴槽用保温蓋は、入浴者の手及び腕を出すための腕差出部７と頭を出すための頭差出部８を形成した差出蓋２と、該差出蓋２以外の浴槽１の上面を密閉して覆うための密閉蓋３にて構成する。該腕差出部７は、差出蓋２の長辺方向一端面において入浴者の肩幅程度の間隔を有して腕が楽に出し入れできる程度の大きさのＵ字状切欠け部で形成し、頭差出部８は、差出蓋２の長辺方向他端面における中央部に頭が楽に出し入れできる程度の大きさのＵ字状切欠け部で形成する。なお、該図では密閉蓋３を２枚で構成したものを示しているが、１枚で構成しても構わない。【００１３】  入浴時以外の保温時においては、差出蓋２の腕差出部７に腕差出部用蓋４を被せ、差出蓋２の頭差出部８に頭差出部用蓋５を被せておく。図２では浴槽１の内部に半身浴用に適した湯温と湯量のお湯６が張られているが、前記の腕差出部用蓋４と頭差出部用蓋５によりそれぞれ腕差出部７と頭差出部８が密閉され、浴槽１の上面全体が密閉されるため、浴槽１内の蒸気を逃すことなく保温性を高めることができる。なお、前記腕差出部用蓋４と頭差出部用蓋５の形状及び構造は特に限定するものではない。該図においては腕差出部用蓋４の厚さの略半分の上部が腕差出部７の上面の端より僅かに外側に広く形成され、頭差出部用蓋５の厚さの略半分の上部が頭差出部８の上面の端より僅かに外側に広く形成されているため、腕差出部用蓋４と頭差出部用蓋５はそれぞれ腕差出部７と頭差出部８に被せることができる。【００１４】  また、上記差出蓋２と密閉蓋３は、厚さが約４０ｍｍの発泡合成樹脂板の表面に防水用のフィルムカバーを溶着して形成する。一般的に発泡スチロール板と呼ばれる発泡合成樹脂板の表面及び内部には無数の気泡があり、水に触れると該気泡内に水が浸み込んで断熱効果が低下する。このような現象を防止するため、前記発泡合成樹脂板の表面へのフィルムカバーの溶着が必要となる。【００１５】  上記差出蓋２と密閉蓋３の表面へのフィルムカバーの溶着は一工程では行えないため、防水用のフィルムカバーを溶着した厚さが約２０ｍｍの発泡合成樹脂板２枚を対向して貼着して構成する。図３は本考案の第一実施例による浴槽用保温蓋を構成する差出蓋の組立前を示す図であり、防水用のフィルムカバー９を溶着した厚さが約２０ｍｍの差出蓋２ａと、防水用のフィルムカバー９を溶着した厚さが約２０ｍｍの差出蓋２ｂの貼着前の内面を示している。一方の差出蓋２ａの内面には位置合わせのための凸部１０を複数配設し、辺縁部には溝１２を削成しておく。また、他方の差出蓋２ｂの内面には前記凸部１０と嵌合する凹部１１を複数配設し、辺縁部には溝１２を削成しておく。該状態において差出蓋２ａと差出蓋２ｂの内面に接着材を適宜塗布した後、図中矢印のように差出蓋２ａの凸部１０と差出蓋２ｂの凹部１１とが嵌合するように対向して貼着する。【００１６】  図４は本考案の第一実施例による浴槽用保温蓋を構成する差出蓋の組立後を示す図であり、（ａ）は平面図、（ｂ）は側面図である。上記工程により防水用のフィルムカバー９を溶着した厚さが約２０ｍｍの差出蓋２ａと差出蓋２ｂを対向して貼着することにより差出蓋２が一体形成される。なお、密閉蓋３も同様の工程で一体形成される。なお、該状態での側面は溝１２が露出した状態である。【００１７】  図５は図４におけるＢ−Ｂ側面断面図であり、上記側面の溝１２内に形成された空間部にコーキング材１３を充填することにより、前記差出蓋２ａと差出蓋２ｂの接合部からの水の滲入が完全に防止される。更に前記コーキング材１３内に、先端部が楔状のテープ材１４を埋設して溝１２の表面を覆設することにより、前記差出蓋２ａと差出蓋２ｂの接合部を保護するとともに、感触も良好にすることができる。【００１８】  図６は本考案の第一実施例による浴槽用保温蓋を使用して半身浴を行っている状態図である。該図に示すように、浴槽１内には半身浴を行うべく入浴者１５の胸より下の部分だけが浸る程度にお湯６が張ってあり、該浴槽１の上面には入浴者１５の腕や頭を出すための差出蓋２と、他の部分を密閉するための密閉蓋３が載置されている。ここで入浴者１５は腕差出部７より腕を出し、頭差出部８より頭を出して胸より下の部分だけが浸るように入浴することにより、浴槽１内の蒸気を外部に逃がすことなく保温性を高めて効果的に半身浴を行うことができる。半身浴の入浴時間は全身浴より長めの約３０分〜４０分と長いため、前記腕差出部７より出した手で汗を拭いたり水分を補給したり、更には本１６を読んだり携帯電話（図示せず）の操作を行うことができる。【００１９】  上述の図１と図２及び図６で示した浴槽１は浴槽の縁の幅が狭いものを示したが、頭部側の縁の幅が広いタイプのものもある。このようなタイプに適合すべく頭差出部８を浴槽１の内側に寄せた他の実施例について説明する。【００２０】  図７は本考案の第二実施例による浴槽用保温蓋の平面図であり、図８は図７におけるＣ−Ｃ側面断面図である。該実施例の浴槽用保温蓋も上記実施例と同様に、入浴者の手及び腕を出すための腕差出部７と頭を出すための頭差出部８を形成した差出蓋２と、該差出蓋２以外の浴槽１の上部を密閉して覆うための密閉蓋３にて構成する。該図において差出蓋２は、差出蓋２Ａと差出蓋２Ｂの２枚に分割して構成する。該腕差出部７は、差出蓋２Ｂの長辺方向一端側において入浴者の肩幅程度の間隔を有して腕が楽に出し入れできる程度の大きさの円錐状切欠け部で形成し、頭差出部８は、差出蓋２Ｂの長辺方向他端面とこれに対向する差出蓋２Ａの長辺方向一端面における中央部に頭が楽に出し入れできる程度の大きさの円錐状切欠け部で形成する。【００２１】  入浴時以外の保温時においては、差出蓋２の腕差出部７に腕差出部用蓋４を被せ、差出蓋２の頭差出部８に頭差出部用蓋５を被せておく。図８では浴槽１の内部に半身浴用に適した湯温と湯量のお湯６が張られているが、前記の腕差出部用蓋４と頭差出部用蓋５によりそれぞれ腕差出部７と頭差出部８が密閉され、浴槽１の上面全体が密閉されるため、浴槽１内の蒸気を逃すことなく保温性を高めることができる。該図において腕差出部用蓋４の外周面は腕差出部７を形成する円錐状切欠け部と対向すべく円錐状に形成され、��差出部用蓋５の外周面は頭差出部８を形成する円錐状切欠け部と対向すべく円錐状に形成されているため、腕差出部用蓋４と頭差出部用蓋５はそれぞれ腕差出部７と頭差出部８に密着して被せることができる。【００２２】  なお、上記差出蓋２と密閉蓋３の表面へのフィルムカバーの溶着および組立方法は実施例一での説明と同様であるので省略する。
【図面の簡単な説明】
【００２３】
【図１】本考案の第一実施例による浴槽用保温蓋の平面図である。
【図２】図１におけるＡ−Ａ側面断面図である。
【図３】本考案の第一実施例による浴槽用保温蓋を構成する差出蓋の組立前を示す図である。
【図４】本考案の第一実施例による浴槽用保温蓋を構成する差出蓋の組立後を示す図である。
【図５】図４におけるＢ−Ｂ側面断面図である。
【図６】本考案の第一実施例による浴槽用保温蓋を使用して半身浴を行っている状態図である。
【図７】本考案の第二実施例による浴槽用保温蓋の平面図である。
【図８】図７におけるＣ−Ｃ側面断面図である。
【符号の説明】
【００２４】  １  浴槽
２  差出蓋
３  密閉蓋
４  腕差出部用蓋
５  頭差出部用蓋
６  お湯
７  腕差出部
８  頭差出部
９  フィルムカバー
１０  凸部
１１  凹部
１２  溝
１３  コーキング材
１４  テープ材
１５  入浴者
１６  本
【図１】
0003177710.tif 000003
【図２】
0003177710.tif 000004
【図３】
0003177710.tif 000005
【図４】
0003177710.tif 000006
【図５】
0003177710.tif 000007
【図６】
0003177710.tif 000008
【図７】
0003177710.tif 000009
【図８】
0003177710.tif 000010